(57)【要約】【課題】電磁スプール弁１に関し、コアステータ８の内部と外部とで気体を流出入させる内外呼吸路３９を設ける作業を低コストに維持しながら、異物が内外呼吸路３９を経由してプランジャ７に到達し、プランジャ７の摺動を阻害する虞を低減することにある。【解決手段】コアステータ８を、ソレノイドコイル４の軸方向他方側で磁束を通す第１コアステータ３０と、ソレノイドコイル４および第１コアステータ３０の内周側で磁束を通すとともにプランジャ７を摺動自在に収容する第２コアステータ３１とに分割する。さらに、第２コアステータ３１の外周部を部分的にカットして平坦面４０をなし、平坦面４０と第１コアステータ３０、樹脂部２６、段部２８の内周面の一部とで内外呼吸路３９を形成する。この結果、内外呼吸路３９は従来よりも長くなり、異物が捕獲されやすくなる。また、内外呼吸路３９を設ける作業も低コストに維持できる。【選択図】図１
2007211857.tif 000002
【特許請求の範囲】
【請求項１】
軸方向に変位するスプールと、
このスプールの軸方向一方側に配置され、通電を受けて磁気吸引力を発生するソレノイドコイルと、
このソレノイドコイルの内周側に配置され、磁気吸引力により軸方向他方側に変位して前記スプールを変位させるプランジャと、
前記ソレノイドコイルの軸方向他方側および内周側に配置されて磁束を通すとともに、前記プランジャを軸方向に摺動自在に収容するコアステータと
を備えた電磁スプール弁において、
前記コアステータは、
環状に設けられ、前記ソレノイドコイルの軸方向他方側に配置されて磁束を通す第１コアステータと、
前記ソレノイドコイルおよび前記第１コアステータの内周側に配置されて磁束を通すとともに、軸方向一方部分にて前記プランジャを収容する第２コアステータとからなり、
前記第２コアステータの外周面の一部は、前記第２コアステータの外周側に配置される部材の内周面の一部とともに、前記第２コアステータの軸方向一方側と前記第２コアステータの軸方向他方側との間で気体を流出入させる呼吸路を形成することを特徴とする電磁スプール弁。
【請求項２】
請求項１に記載の電磁スプール弁において、
前記ソレノイドコイルの軸方向一方側および外周側に配置されて磁束を通すヨークを備える電磁スプール弁。
【請求項３】
請求項１または請求項２に記載の電磁スプール弁において、
前記呼吸路は、前記第２コアステータの外周部の一部を軸方向にカットすることで設けられる外周面により形成されることを特徴とする電磁スプール弁。
【請求項４】
請求項２に記載の電磁スプール弁において、
前記第２コアステータの軸方向一方部分の外周側に磁性材からなる環状体が配置されていることを特徴とする電磁スプール弁。
【発明の詳細な説明】
【技術分野】
【０００１】
本発明は、ソレノイドコイルへの通電により発生する磁気吸引力を駆動力として、スプールを変位させ流体流路の切替等を行う電磁スプール弁に関する。
【背景技術】
【０００２】
〔従来の技術〕
従来から、自動変速機における油圧回路の切り替えや、バルブ可変タイミング装置における油圧の供給等に電磁スプール弁が採用されている。
【０００３】
従来の電磁スプール弁１００は、例えば図３に示すように、軸方向に変位するスプール１０１と、スプール１０１を軸方向に摺動自在に収容するスリーブ１０２と、スプール１０１およびスリーブ１０２の軸方向一方側に配置され、通電を受けて磁気吸引力を発生するソレノイドコイル１０３と、ソレノイドコイル１０３の内周側に配置され、磁気吸引力により軸方向他方側に変位し、ロッド１０４を介してスプール１０１を変位させるプランジャ１０５と、ソレノイドコイル１０３の軸方向他方側および内周側に配置されて磁束を通すとともに、プランジャ１０５を軸方向に摺動自在に収容するコアステータ１０６と、ソレノイドコイル１０３の軸方向一方側および外周側に配置されて磁束を通すヨーク１０７とを備える。
【０００４】
ここで、コアステータ１０６の軸方向一方部分１０８は、筒状に設けられて軸方向一方側に開口しヨーク１０７の一端部分により覆われている。そして、この軸方向一方部分１０８の内周側にプランジャ１０５が摺接して収容され、プランジャ１０５の軸方向一方側および軸方向他方側に、それぞれプランジャ一方側内部空間１０９、プランジャ他方側内部空間１１０が形成される。また、コアステータ１０６の軸方向他方部分１１１は、ロッド１０４の軸受けをなし、スリーブ１０２の内部に形成されるスリーブ側内部空間１１２とプランジャ他方側内部空間１１０との間を区画する。
【０００５】
そして、ロッド１０４やプランジャ１０５の移動に伴いプランジャ一方側内部空間１０９やプランジャ他方側内部空間１１０に気体を円滑に流出入させるため、内部呼吸路１１３、内外呼吸路１１４が設けられている。
【０００６】
内部呼吸路１１３は、コアステータ１０６の内部で気体を流出入させるものであり、プランジャ１０５を貫通するように設けられている。すなわち、内部呼吸路１１３は、コアステータ１０６の内部に形成されるプランジャ一方側内部空間１０９と、同じくコアステータ１０６の内部に形成されるプランジャ他方側内部空間１１０との間で気体を流出入させる。
【０００７】
内外呼吸路１１４は、コアステータ１０６の内部とコアステータ１０６の外部とで気体を流出入させるものであり、軸方向他方部分１１１を貫通するように設けられている。すなわち、内外呼吸路１１４は、コアステータ１０６の内部に形成されるプランジャ他方側内部空間１１０と、コアステータ１０６の外部に形成されるスリーブ側内部空間１１２との間で気体を流出入させる。
【０００８】
この内外呼吸路１１４は、プランジャ一方側内部空間１０９とプランジャ他方側内部空間１１０とを合わせたコアステータ１０６の全内部空間を円滑に拡縮させる機能を果たしている。すなわち、プランジャ１０５が移動して、ロッド１０４のプランジャ他方側内部空間１１０への進入量が増減すると、コアステータ１０６の全内部空間は、ロッド１０４の進入量の増減に応じて拡縮する。そこで、内外呼吸路１１４は、ロッド１０４の進入量の増減に応じて、プランジャ他方側内部空間１１０とスリーブ側内部空間１１２との間で気体を流出入させ、コアステータ１０６の全内部空間を円滑に拡縮させる。
【０００９】
ところで、内外呼吸路１１４は、磁束を通すためのコアステータ１０６を貫通して設けられるため、内外呼吸路１１４の径は、できるだけ小さいほうが好ましい。しかし、径が小さいほど、内外呼吸路１１４を貫通させる作業は煩雑になりコストが高くなる。
【００１０】
そこで、軸方向他方部分１１１の内、内周側の部分であってロッド１０４の軸受けをなす部分を第２コア部材として別体とし、この第２コア部材を、筒状に設けた第１コア部材の内周側に嵌着することでコアステータ１０６を構成する技術が考えられている（例えば、特許文献１参照）。この技術によれば、第２コア部材の外周面、または第１コア部材の内周面に溝等を設けることで、内外呼吸路１１４を形成することができる。そして、部材の外周面や内周面に溝等を設ける作業は、部材を貫通して呼吸路を設ける作業よりも簡便であるため、コストも低くなる。
【００１１】
〔従来技術の不具合〕
しかし、スリーブ側内部空間１１２には、オイルが流動する内部流動部１１５から、オイルがリークしており、このオイルには鉄粉等の異物が含まれている。そして、この異物を含んだオイルが、内外呼吸路１１４を経由してプランジャ１０５まで到達し、プランジャ１０５の摺動を阻害する虞がある。
【特許文献１】特開２００５−２１４２３６号公報
【発明の開示】
【発明が解決しようとする課題】
【００１２】
本発明は、上記の問題点を解決するためになされたものであり、その目的は、内外呼吸路を設ける作業を低コストに維持しながら、異物を含んだオイル等の流体が内外呼吸路を経由してプランジャに到達し、プランジャの摺動を阻害する虞を低減することにある。
【課題を解決するための手段】
【００１３】
〔請求項１の手段〕
請求項１に記載の電磁スプール弁は、軸方向に変位するスプールと、スプールの軸方向一方側に配置され、通電を受けて磁気吸引力を発生するソレノイドコイルと、ソレノイドコイルの内周側に配置され、磁気吸引力により軸方向他方側に変位してスプールを変位させるプランジャと、ソレノイドコイルの軸方向他方側および内周側に配置されて磁束を通すとともに、プランジャを軸方向に摺動自在に収容するコアステータとを備える。
【００１４】
そして、コアステータは、環状に設けられ、ソレノイドコイルの軸方向他方側に配置されて磁束を通す第１コアステータと、ソレノイドコイルおよび第１コアステータの内周側に配置されて磁束を通すとともに、軸方向一方部分にてプランジャを摺動自在に収容する第２コアステータとからなる。
さらに、第２コアステータの外周面の一部は、第２コアステータの外周側に配置される部材の内周面の一部とともに、第２コアステータの軸方向一方側と第２コアステータの軸方向他方側との間で気体を流出入させる呼吸路を形成する。
【００１５】
ここで、第２コアステータの軸方向一方側には、プランジャ一方側内部空間が形成され、第２コアステータの軸方向他方側には、スリーブ側内部空間が形成される。このため、本発明の呼吸路は、内外呼吸路の機能を果たすことができる。そして、本発明の呼吸路が内外呼吸路として機能すると、異物を含んだオイル等の流体がプランジャに到達するのに要する距離は、従来の内外呼吸路よりも長くなる。すなわち、従来の内外呼吸路は、スリーブ側内部空間とプランジャ他方側内部空間とを連通するのに対し、本発明の呼吸路による内外呼吸路は、スリーブ側内部空間とプランジャ一方側内部空間とを連通するからである。
【００１６】
また、本発明の呼吸路の軸方向他方側の部分は、第１コアステータと第２コアステータとで形成される。このため、第１コアステータと第２コアステータとの間で磁束が受け渡されることで、鉄系の異物が捕獲されやすくなる。
【００１７】
このように、異物を含んだオイル等の流体がプランジャに到達するのに要する距離が長くなること、および本発明の呼吸路の軸方向他方側の部分で鉄系の異物が捕獲されやすくなることにより、異物が内外呼吸路を経由してプランジャに到達し、プランジャの摺動を阻害する虞を低減することができる。
【００１８】
さらに、本発明の呼吸路は、第２コアステータの外周面の一部、および第２コアステータの外周側に配置される部材の内周面の一部により形成されるため、部材を貫通して設ける必要がない。このため、本発明の呼吸路を設ける作業は簡便であり低コストである。
【００１９】
したがって、内外呼吸路を設ける作業を低コストに維持しながら、異物を含んだオイル等の流体が内外呼吸路を経由してプランジャに到達し、プランジャの摺動を阻害する虞を低減することができる。
【００２０】
〔請求項２の手段〕
請求項２に記載の電磁スプール弁は、ソレノイドコイルの軸方向一方側および外周側に配置されて磁束を通すヨークを備える。
これにより、本発明の呼吸路の軸方向一方側の部分は、ヨークと第２コアステータとで形成される。このため、ヨークと第２コアステータとの間で磁束が受け渡されることで、鉄系の異物が、さらに捕獲されやすくなる。この結果、異物が内外呼吸路を経由してプランジャに到達しプランジャの摺動を阻害する虞を、さらに低減することができる。
【００２１】
〔請求項３の手段〕
請求項３に記載の電磁スプール弁によれば、呼吸路は、第２コアステータの外周部の一部を軸方向にカットすることで設けられる外周面により形成される。
この手段は、本発明の呼吸路を形成する一方法を示すものである。
【００２２】
〔請求項４の手段〕
請求項４に記載の電磁スプール弁によれば、第２コアステータの軸方向一方部分の外周側に磁性材からなる環状体が配置されている。
この環状体は、ヨークの軸方向一方部分の軸方向厚みを減らしヨークのプレス成形を可能にしたり、ヨークの軸方向一方部分とコアステータとの間に生じる隙間を埋めて磁気効率を上げたりするために配置される（ヨークは、他端部分がかしめ固定されるため、軸方向一方部分は自由度が高く隙間が生じやすい）。
そして、この環状体を配置することで、本発明の呼吸路はさらに迷路状になるため、異物が呼吸路で捕獲される確率が高まる。
【発明を実施するための最良の形態】
【００２３】
最良の形態１の電磁スプール弁は、軸方向に変位するスプールと、スプールの軸方向一方側に配置され、通電を受けて磁気吸引力を発生するソレノイドコイルと、ソレノイドコイルの内周側に配置され、磁気吸引力により軸方向他方側に変位してスプールを変位させるプランジャと、ソレノイドコイルの軸方向他方側および内周側に配置されて磁束を通すとともに、プランジャを軸方向に摺動自在に収容するコアステータと、ソレノイドコイルの軸方向一方側および外周側に配置されて磁束を通すヨークとを備える。
【００２４】
そして、コアステータは、環状に設けられ、ソレノイドコイルの軸方向他方側に配置されて磁束を通す第１コアステータと、ソレノイドコイルおよび第１コアステータの内周側に配置されて磁束を通すとともに、軸方向一方部分にてプランジャを摺動自在に収容する第２コアステータとからなる。
さらに、第２コアステータの外周面の一部は、第２コアステータの外周側に配置される部材の内周面の一部とともに、第２コアステータの軸方向一方側と第２コアステータの軸方向他方側との間で気体を流出入させる呼吸路を形成する。
【００２５】
また、呼吸路は、第２コアステータの外周部の一部を軸方向にカットすることで設けられる外周面により形成される。
【００２６】
最良の形態２の電磁スプール弁によれば、第２コアステータの軸方向一方部分の外周側に磁性材からなる環状体が配置されている。
【実施例１】
【００２７】
〔実施例１の構成〕
実施例１の電磁スプール弁１の構成を、図１を用いて説明する。
電磁スプール弁１は、図１に示すように、軸方向に変位して流体流路（図示せず）を切り替えるスプール２と、スプール２を軸方向に摺動自在に収容するスリーブ３と、スプール２の軸方向一方側に配置され、通電を受けて磁気吸引力を発生するソレノイドコイル４と、ソレノイドコイル４の軸方向一方側および外周側に配置されて磁束を通すヨーク５と、ソレノイドコイル４の内周側に配置され、磁気吸引力により軸方向他方側に変位し、ロッド６を介してスプール２を変位させるプランジャ７と、ソレノイドコイル４の軸方向他方側および内周側に配置されて磁束を通すとともに、プランジャ７を軸方向に摺動自在に収容するコアステータ８とを備える。
【００２８】
なお、この電磁スプール弁１は、各所にＯリング９が装着されて、コアステータ８の内部に形成される空間（後記するプランジャ一方側内部空間１３およびプランジャ他方側内部空間１４）やコアステータ８の外部に形成される空間（後記するスリーブ側内部空間１５）の気密性、およびスリーブ３とスプール２とで形成されオイル等の流体が流動する内部流動部１６の液密性が保持されている。
【００２９】
スプール２は、スリーブ３と摺接する複数の大径部１８〜２０が軸方向一方側に向かって順次に設けられ、スリーブ３とともにオイル等の流体が流動する内部流動部１６を形成する。スプール２の軸方向他端には復元バネ２１が装着され、スプール２は、常時、復元バネ２１により軸方向一方側に付勢されている。また、スプール２の軸方向一端にはロッド６の他端が当接し、ロッド６を介して、スプール２からプランジャ７に復元バネ２１による付勢力が伝達され、プランジャ７からスプール２に磁気吸引力が伝達される。
【００３０】
スリーブ３には、内部流動部１６と外部の流体流路とを連通する複数の開口部２２が設けられている。そして、スプール２の変位に伴い大径部１８〜２０が開口部２２を開閉することで、流体流路が切り替えられる。また、最も軸方向一方側に設けられた大径部２０により、内部流動部１６は封鎖され、大径部２０の軸方向一方側には、スリーブ３の内部空間（スリーブ側内部空間１５）が形成されている。
【００３１】
なお、このスリーブ側内部空間１５は、別途、設けられた開口部（図示せず）により、常時、大気開放されている。また、スリーブ側内部空間１５には、内部流動部１６からオイル等の流体が異物を含んでリークする。
【００３２】
ソレノイドコイル４は、電源（図示せず）から給電を受けるための端子２５等とともに樹脂モールドされ、略円筒状の樹脂部２６に内蔵されている。
【００３３】
ヨーク５は、軸方向他方側に開口する筒状体をなす。そして、ヨーク５の軸方向一方部分は、軸方向および径方向にそれぞれ所定の厚みを有するように段状に設けられ、段部２８をなす。そして、段部２８に樹脂部２６が配置され、さらに樹脂部２６の他方側に、後記する第１コアステータ３０およびスリーブ３の一端部分が配置されている。そして、この状態でヨーク５の他端部分がスリーブ３の一端部分にかしめられ、これにより、電磁スプール弁１は、一体として構成される。
【００３４】
プランジャ７は、円柱状に設けられ、コアステータ８に摺動自在に収容されている。また、プランジャ７の他端面にはロッド６の一端が当接している。そして、ソレノイドコイル４に通電が行われ磁気吸引力が発生すると、プランジャ７は、軸方向他方側に変位するとともに、ロッド６を介してスプール２を軸方向他方側に変位させる。また、ソレノイドコイル４への通電が停止され磁気吸引力が消滅すると、プランジャ７は、ロッド６を介してスプール２から復元バネ２１の付勢力を受けて軸方向一方側に変位する。
【００３５】
コアステータ８は、環状に設けられ、ソレノイドコイル４の軸方向他方側に配置されて磁束を通す第１コアステータ３０と、ソレノイドコイル４および第１コアステータ３０の内周側に配置されて磁束を通すとともに、プランジャ７を摺動自在に収容する第２コアステータ３１とからなる。
【００３６】
第１コアステータ３０は、軸方向においてスリーブ３の一端部分と樹脂部２６の他端部分とにより挟まれ、径方向においてヨーク５と第２コアステータ３１とにより挟まれて配置されている。そして、第１コアステータ３０は、ソレノイドコイル４の軸方向他方側において、ヨーク５および第２コアステータ３１との間で、それぞれ磁束を受け渡す。また、第１コアステータ３０は、外気に曝されるため防錆処理が施される。
【００３７】
第２コアステータ３１は、プランジャ７を摺動自在に収容する軸方向一方部分３３と、ロッド６を軸受けする軸方向他方部分３４とからなる。また、第２コアステータ３１は、ロッド６やプランジャ７に摺接されるためガス軟窒化処理等の表面硬化処理が施される。
【００３８】
軸方向一方部分３３は、筒状に設けられ、軸方向一方側がヨーク５の一端部分３６により覆われている。そして、この軸方向一方部分３３の内周側にプランジャ７が摺接して収容され、プランジャ７の軸方向一方側および軸方向他方側に、それぞれプランジャ一方側内部空間１３、プランジャ他方側内部空間１４が形成される。また、軸方向一方部分３３は、ヨーク５の段部２８との間で磁束を受け渡す。
【００３９】
軸方向他方部分３４は、ロッド６の軸受けをなすとともに、スリーブ側内部空間１５とプランジャ他方側内部空間１４との間を区画する。軸方向他方部分３４は、第１コアステータ３０との間で磁束を受け渡す。
【００４０】
また、電磁スプール弁１では、ロッド６やプランジャ７の移動に伴いプランジャ一方側内部空間１３やプランジャ他方側内部空間１４に気体を円滑に流出入させるため、内部呼吸路３８、内外呼吸路３９が設けられている。
【００４１】
内部呼吸路３８は、コアステータ８の内部で気体を流出入させるものであり、プランジャ７を貫通するように設けられている。すなわち、内部呼吸路３８は、コアステータ８の内部に形成されるプランジャ一方側内部空間１３と、同じくコアステータ８の内部に形成されるプランジャ他方側内部空間１４との間で気体を流出入させる。
【００４２】
内外呼吸路３９は、コアステータ８の内部とコアステータ８の外部とで気体を流出入させるものであり、第２コアステータ３１の外周面の一部と第２コアステータ３１の外周側に配置される部材の内周面の一部とで形成される。すなわち、図１（ｂ）に示すように、第２コアステータ３１の外周部の一部は、軸方向にカットされて平坦な外周面（平坦面４０と呼ぶ）をなす。そして、この平坦面４０が、第２コアステータ３１の外周側に配置される部材の内周面の一部とともに内外呼吸路３９を形成する。
【００４３】
なお、第２コアステータ３１の外周側に配置され第２コアステータ３１とともに内外呼吸路３９を形成する部材とは、第１コアステータ３０、樹脂部２６、およびヨーク５の段部２８である。
【００４４】
そして、内外呼吸路３９は、コアステータ８の内部に形成されるプランジャ一方側内部空間１３と、コアステータ８の外部に形成されるスリーブ側内部空間１５との間で気体を流出入させる。
【００４５】
この内外呼吸路３９は、プランジャ一方側内部空間１３とプランジャ他方側内部空間１４とを合わせたコアステータ８の全内部空間（以下、全内部空間と呼ぶ）を円滑に拡縮させる機能を果たしている。すなわち、プランジャ７が移動して、ロッド６のプランジャ他方側内部空間１４への進入量（以下、ロッド６の進入量と呼ぶ）が増減すると、全内部空間は、ロッド６の進入量の増減に応じて拡縮する。そこで、内外呼吸路３９は、ロッド６の進入量の増減に応じて、プランジャ一方側内部空間１３とスリーブ側内部空間１５との間で気体を流出入させ、全内部空間を円滑に拡縮させる。
【００４６】
〔実施例１の作用〕
実施例１の電磁スプール弁１の作用を、図１を用いて説明する。
ソレノイドコイル４に通電が行われると、プランジャ７が軸方向他方側に変位するので、プランジャ一方側内部空間１３の容積が増加し、プランジャ他方側内部空間１４の容積が減少する。同時に、ロッド６が軸方向他方側に変位してロッド６の進入量が減少するので、全内部空間の容積が増加する。
【００４７】
このため、内部呼吸路３８を経由して、プランジャ他方側内部空間１４からプランジャ一方側内部空間１３に気体が流れるとともに、内外呼吸路３９を経由して、スリーブ側内部空間１５からプランジャ一方側内部空間１３に気体が流れる。この結果、プランジャ一方側内部空間１３の容積は、プランジャ他方側内部空間１４からの流入量と、スリーブ側内部空間１５からの流入量との合計だけ増加する。
【００４８】
また、ソレノイドコイル４への通電が停止されると、プランジャ７が軸方向一方側に変位するので、プランジャ他方側内部空間１４の容積が増加し、プランジャ一方側内部空間１３の容積が減少する。同時に、ロッド６が軸方向一方側に変位してロッド６の進入量が増加するので、全内部空間の容積が減少する。
【００４９】
このため、内部呼吸路３８を経由して、プランジャ一方側内部空間１３からプランジャ他方側内部空間１４に気体が流れるとともに、内外呼吸路３９を経由して、プランジャ一方側内部空間１３からスリーブ側内部空間１５に気体が流れる。この結果、プランジャ一方側内部空間１３の容積は、プランジャ他方側内部空間１４への流出量と、スリーブ側内部空間１５への流出量との合計だけ減少する。
【００５０】
〔実施例１の効果〕
実施例１の電磁スプール弁１によれば、コアステータ８は、環状に設けられ、ソレノイドコイル４の軸方向他方側に配置されて磁束を通す第１コアステータ３０と、ソレノイドコイル４および第１コアステータ３０の内周側に配置されて磁束を通すとともに、軸方向一方部分３３にてプランジャ７を摺動自在に収容する第２コアステータ３１とからなる。また、第２コアステータ３１の外周部の一部は、軸方向にカットされて平坦面４０をなす。そして、平坦面４０は、第１コアステータ３０、樹脂部２６、およびヨーク５の段部２８の内周面の一部とともに、プランジャ一方側内部空間１３とスリーブ側内部空間１５との間で気体を流出入させる内外呼吸路３９を形成する。
【００５１】
これにより、内外呼吸路３９は、従来のように、プランジャ他方側内部空間１４とスリーブ側内部空間１５との間で気体を流出入させる場合よりも長くなる。このため、異物を含んだオイル等の流体がプランジャ７に到達するのに要する距離は、従来よりも長くなる。また、内外呼吸路３９の軸方向他方側の部分は、第１コアステータ３０の内周面と第２コアステータ３１の平坦面４０とで形成される。このため、第１コアステータ３０と第２コアステータ３１との間で磁束が受け渡されることで、鉄系の異物が捕獲されやすくなる。
【００５２】
このように、異物を含んだオイル等の流体がプランジャ７に到達するのに要する距離が長くなること、および内外呼吸路３９の軸方向他方側の部分で鉄系の異物が捕獲されやすくなることにより、異物が内外呼吸路３９を経由してプランジャ７に到達し、プランジャ７の摺動を阻害する虞を低減することができる。
【００５３】
さらに、内外呼吸路３９は、第２コアステータ３１の外周面の一部である平坦面４０と、第１コアステータ３０、樹脂部２６、およびヨーク５の段部２８の内周面の一部とで形成されるため、例えば、第２コアステータ３１の軸方向他方部分３４を貫通して設ける必要がない。このため、内外呼吸路３９を設ける作業は簡便であり低コストである。
【００５４】
したがって、内外呼吸路３９を設ける作業を低コストに維持しながら、異物を含んだオイル等の流体が内外呼吸路３９を経由してプランジャ７に到達し、プランジャ７の摺動を阻害する虞を低減することができる。
【００５５】
また、電磁スプール弁１は、ソレノイドコイル４の軸方向一方側および外周側に配置されて磁束を通すヨーク５を備える。
これにより、内外呼吸路３９の軸方向一方側の部分は、ヨーク５の段部２８と第２コアステータ３１とで形成される。このため、段部２８と第２コアステータ３１との間で磁束が受け渡されることで、鉄系の異物が、さらに捕獲されやすくなる。この結果、異物が内外呼吸路３９を経由してプランジャ７に到達しプランジャ７の摺動を阻害する虞を、さらに低減することができる。
【実施例２】
【００５６】
実施例２の電磁スプール弁１によれば、図２に示すように、軸方向一方部分３３の外周側に磁性材からなる環状体（リングコア４４と呼ぶ）が配置されている。リングコア４４は、段部２８の軸方向厚みを減らしヨーク５のプレス成形を可能にしたり、段部２８と軸方向一方部分３３との間に生じる隙間を埋めて磁気効率を上げたりするために配置される。
そして、リングコア４４を配置することで、内外呼吸路３９はさらに迷路状になるため、異物が内外呼吸路３９で捕獲される確率が高まる。
【００５７】
〔変形例〕
本実施例の内外呼吸路３９は、第２コアステータ３１の外周面を加工することで設けられているが、第２コアステータ３１の外周側に配置される部材（つまり、第１コアステータ３０、樹脂部２６、およびヨーク５の段部２８）の内周面を加工することで設けてもよい。
また、本実施例の内外呼吸路３９は、第２コアステータ３１の外周部の一部を軸方向にカットし平坦面４０を設けることで形成されていたが、Ｖ字状等に溝を設けることで形成してもよい。
【図面の簡単な説明】
【００５８】
【図１】（ａ）は電磁スプール弁の構成を示す断面図であり、（ｂ）は第２コアステータの背面図である（実施例１）。
【図２】（ａ）は電磁スプール弁の構成を示す断面図であり、（ｂ）は電磁スプール弁の要部構成を示す要部断面図である（実施例２）。
【図３】電磁スプール弁の構成を示す断面図である（従来例）。
【符号の説明】
【００５９】
１  電磁スプール弁
２  スプール
４  ソレノイドコイル
５  ヨーク
７  プランジャ
８  コアステータ
２６  樹脂部（第２コアステータの外周側に配置される部材）
２８  段部（第２コアステータの外周側に配置される部材）
３０  第１コアステータ（第２コアステータの外周側に配置される部材）
３１  第２コアステータ
３３  軸方向一方部分
３９  内外呼吸路（呼吸路）
４０  平坦面（第２コアステータの外周面の一部）
４４  リングコア（環状体）
【図１】
2007211857.tif 000003
【図２】
2007211857.tif 000004
【図３】
2007211857.tif 000005